【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
両側に液体不透過性プラスチック外側コーティング（２０２、２０３；３０２、３０３）を有し、コア層（２０１；３０１）と２つの液体不透過性プラスチック外側コーティングの１つ（２０２；３０２）との間に、ポリプロピレンの層（２１１；３１１）によってコア層（２０１；３０１）にラミネートされた、ガスバリアとしての役目を果たす層（２０４；３０４）を有するコア層（２０１；３０１）を含む、レトルト可能包装容器のための包装ラミネート材であって、ガスバリア層（２０４；３０４）が、水溶性接着促進ポリマー成分と水溶性バリア強化ポリマー成分との、少なくとも１つの外側コーティング（２０６及び２０７；３０６及び３０７）を有するポリマーフィルムであることを特徴とする包装ラミネート材（２００；３００）。
【請求項２】
水溶性接着促進ポリマー成分が変性ポリエチレンイミン（ＰＥＩ）であることを特徴とする、請求項１に記載の包装ラミネート材。
【請求項３】
水溶性バリア強化ポリマー成分が、エチレンビニルアルコール（ＥＶＯＨ）及びポリビニルアルコール（ＰＶＯＨ）を本質的に含む群から選択され、好ましくはポリビニルアルコール（ＰＶＯＨ）であることを特徴とする、請求項１又は２に記載の包装ラミネート材。
【請求項４】
ガスバリアとしての役目を果たすポリマーフィルム（２０４；３０４）が、ポリエステル（ＰＥＴ）、アモルファスポリエステル（ＡＰＥＴ）、ポリアミド（ＰＡ）、アモルファスポリアミド（ＡＰＡ）、液晶ポリマー（ＬＣＰ）、環状オレフィンコポリマー（ＣＯＣ）、エチレンビニルアルコール（ＥＶＯＨ）、ポリビニルアルコール（ＰＶＯＨ）、さらには、無機材料又は有機材料のコーティングを有する前記ポリマーのフィルムを本質的に含む群から選択されることを特徴とする、請求項１から３までのいずれか一項に記載の包装ラミネート材。
【請求項５】
ガスバリアとしての役目を果たすポリマーフィルム（２０４；３０４）が、その片側に架橋ポリアクリル酸（ＰＡＡ）の外側コーティングを有するポリエステルフィルム（ＰＥＴ）であることを特徴とする、請求項４に記載の包装ラミネート材。
【請求項６】
ポリエステルフィルム（２０４；３０４）が、コア層（２０１；３０１）の方に向いた架橋ポリアクリル酸（ＰＡＡ）外側コーティングを有することを特徴とする、請求項５に記載の包装ラミネート材。
【請求項７】
コア層（２０１；３０１）が紙又は板紙からなることを特徴とする、請求項１から６までのいずれか一項に記載の包装ラミネート材。
【請求項８】
コア層（２０１；３０１）とポリマーフィルム（２０４；３０４）との間に、補助ガスバリアとしての役目を果たす層（２０５；３０５）を有することを特徴とする、請求項１から７までのいずれか一項に記載の包装ラミネート材。
【請求項９】
補助ガスバリア層（２０５；３０５）が、エチレンビニルアルコール（ＥＶＯＨ）及びポリアミド（ＰＡ）を本質的に含む群から選択されたポリマーからなることを特徴とする、請求項８に記載の包装ラミネート材。
【請求項１０】
補助ガスバリア層（２０５；３０５）が、接着層（２０９、２１０；３０９、３１０）によって両側で囲まれており、接着層によって補助ガスバリア層（２０５；３０５）が、それぞれ、ガスバリア層（２０４；３０４）及びコア層（２０１；３０１）に接合されていることを特徴とする、請求項８又は９に記載の包装ラミネート材。
【請求項１１】
２つの液体不透過性プラスチック外側コーティング（２０２、２０３；３０２、３０３）が熱可塑性樹脂からなることを特徴とする、請求項１から１０までのいずれか一項に記載の包装ラミネート材。
【請求項１２】
熱可塑性樹脂が、高密度ポリエチレン（ＨＤＰＥ）、線状低密度ポリエチレン（ＬＬＤＰＥ）、ポリプロピレン（ＰＰ）、延伸ポリプロピレン（ＯＰＰ）、ポリエステル（ＰＥＴ）、延伸ポリエステル（ＯＰＥＴ）及びアモルファスポリエステル（ＡＰＥＴ）を本質的に含む群から選択されることを特徴とする、請求項１１に記載の包装ラミネート材。
【請求項１３】
ガス、特に酸素ガスに対する不透過性を示すフィルム（４００）が、紙又は板紙のウェブ（４１８）に、フィルムとウェブとの間の押し出されるポリプロピレンによってラミネートされる、請求項１に記載の包装ラミネート材の製造方法。
【請求項１４】
ガス、特に酸素ガスに対する不透過性を示すフィルム（４００）が、紙又は板紙のウェブ（４１８）に、フィルム（４００）とウェブ（４１８）との間の押し出されるポリプロピレン（４２１）によってラミネートされる、請求項１に記載の包装ラミネート材の製造方法であって、少なくとも、紙又は板紙のウェブ（４１８）の方に向けようとするフィルム（４００）の側が、接着促進ポリマー成分及びバリア強化ポリマー成分の水性分散体により被覆又はコーティングされること、並びに、こうして塗布された分散体が、紙又は板紙のウェブ（４１８）へのラミネーションの前に乾燥されることを特徴とする方法。
【請求項１５】
接着促進水溶性ポリマー成分が変性ポリエチレンイミン（ＰＥＩ）からなることを特徴とする、請求項１４に記載の方法。
【請求項１６】
バリア強化ポリマー成分が、エチレンビニルアルコール（ＥＶＯＨ）及びポリビニルアルコール（ＰＶＯＨ）の中から選択されることを特徴とする、請求項１４又は１５に記載の方法。
【請求項１７】
水性分散体が、乾燥後に、１〜３ｇ／ｍ２のグラム数を有する連続コーティングを形成するように、十分な量で塗布されることを特徴とする、請求項１３から１６までのいずれか一項に記載の方法。
【請求項１８】
水性分散体がフィルム（４００）の両側に塗布されることを特徴とする、請求項１３から１７までのいずれか一項に記載の方法。
【請求項１９】
ガス、特に酸素ガスに対する不透過性を有するフィルムが、その片側に架橋ポリアクリル酸（ＰＡＡ）の外側コーティングを有するポリエステルフィルムからなり、ポリエステルフィルムがウェブにラミネートされるとき、ポリエステルフィルムのポリアクリル酸コーティング側が、ウェブ（４１８）の方に向くことを特徴とする、請求項１３から１８までのいずれか一項に記載の方法。
【請求項２０】
請求項１から１２までのいずれか一項に記載の包装ラミネート材の折畳み成形及び熱シールによって製造される、食品用レトルト可能包装容器。
【手続補正２】
【補正対象書類名】明細書
【補正対象項目名】００１８
【補正方法】変更
【補正の内容】
【００１８】
本発明による包装ラミネート材及び方法の適切な好ましい実施形態には、添付の従属請求項２から１２まで、並びに１４から１９までにそれぞれ記載の特徴がさらに与えられる。
【手続補正３】
【補正対象書類名】明細書
【補正対象項目名】００３８
【補正方法】変更
【補正の内容】
【００３８】
上に述べたように、図１はレトルト可能包装容器のための先行技術の包装ラミネート材１００の概略的横断面を示す。包装ラミネート材１００は、紙又は板紙のコア層１０１、並びに、高密度ポリエチレン（ＨＤＰＥ）、線状低密度ポリエチレン（ＬＬＤＰＥ）、ポリプロピレン（ＰＰ）、延伸ポリプロピレン（ＯＰＰ）、ポリエステル（ＰＥＴ）、延伸ポリエステル（ＯＰＥＴ）、及びアモルファスポリエステル（ＡＰＥＴ）を本質的に含む群の中から選択されるプラスチックの液体不透過性外側コーティング１０２及び１０３を有する。プラスチックは好ましくはポリプロピレン（ＰＰ）である。包装ラミネート材１００は、さらに、ガスバリアとしての役目を果たし、通常はアルミニウム箔である層１０４、及び、補助ガスバリアとしての役目を果たし、例えばエチレンビニルアルコール（ＥＶＯＨ）又はポリアミド（ＰＡ）からなり、コア層１０１と２つの液体不透過性プラスチック外側コーティングの１つ１０２との間の層１０５を示す。２つのガスバリア層１０４及び１０５は、接着剤、例えばＰＰ系接着剤（これは、三井化学からアドマー（ＡＤＭＥＲ）の商用名で入手できる）の介在層１０６〜１０９によって互いに接合されている。こうして、ガスバリア層１０４は、取り囲む接着層又は連結層（ｔｉｅ  ｌａｙｅｒ）１０６及び１０７を有し、これらによって、それぞれ、ガスバリア層１０４と補助ガスバリア層１０５との間、及びガスバリア層１０４と液体不透過性プラスチック外側コーティング１０２との間の優れた接着性が確保される。さらに、補助ガスバリア層１０５は、コア層１０１の方に向く側に、優れた接着性によりコア層１０１に、ポリプロピレン（ＰＰ）の介在層１０９の媒介によって接合する接着層１０８を有する。